(57)【要約】【課題】ガイドフィルムの両端部をペーパーガイドに固定することにより、用紙が搬送される際にガイドフィルムの端部が移動することを防止するプリンタ装置を提供することを目的とする。【解決手段】ペーパーガイド１０によってプラテンローラ９の外周に沿って案内された用紙４をプラテンローラ９の周面に押圧するガイドフィルム２１の両端部に爪部６６、６７を設け、各爪部６６、６７をペーパーガイド１０に設けられた第２係止部７８及び第３係止部７９に固定することによりガイドフィルム２１をペーパーガイド１０に取り付けるように構成する。【選択図】  図２４
2005028640.tif 000002
【特許請求の範囲】
【請求項１】
本体ケース内の収納部に収納された用紙に印刷を行う印字ヘッドと、
前記印字ヘッドに対向して配置されたプラテンローラと、
前記プラテンローラの外周に沿って前記用紙を案内するペーパーガイドと、
前記ペーパーガイドに隣接して配置され、前記用紙を前記プラテンローラの周面に押圧するガイドフィルムとを有するプリンタ装置において、
前記ペーパーガイドは前記ガイドフィルムを係止させるための係止部を有し、
前記ガイドフィルムの両端部は、前記係止部に固定されることを特徴とするプリンタ装置。
【請求項２】
前記ガイドフィルムの幅は、前記用紙の幅と略同一かそれよりも大きいことを特徴とする請求項１に記載のプリンタ装置。
【請求項３】
前記ガイドフィルムの幅は、前記プラテンローラの幅と略同一であることを特徴とする請求項１又は請求項２に記載のプリンタ装置。
【請求項４】
前記ガイドフィルムは前記係止部に対して前記プラテンローラの回転方向と逆方向に取り付けられ、
前記係止部は、前記ガイドフィルムの取り付け方向に沿って傾斜面が形成されていることを特徴とする請求項１乃至請求項３のいずれかに記載のプリンタ装置。
【請求項５】
前記ガイドフィルムには前記係止部と対応する位置に係止孔が設けられ、
前記ガイドフィルムは前記係止孔を前記係止部に嵌合することによって、前記ペーパーガイドに取り付けられることを特徴とする請求項１乃至請求項４のいずれかに記載のプリンタ装置。
【発明の詳細な説明】
【０００１】
【発明の属する技術分野】
本発明は、収納部に収納された用紙をペーパーガイドとペーパーガイドに隣接して配置されたガイドフィルムによりプラテンローラに案内して印刷を行うプリンタ装置に関し、特にガイドフィルムの両端部をペーパーガイドに固定することにより、搬送される用紙によってガイドフィルムの端部が移動することを防止するプリンタ装置に関するものである。
【０００２】
【従来の技術】
従来より、プリンタの用紙送り装置は、印字用紙を駆動するモータと、そのモータの駆動力を受けて印字用紙をフォワード方向あるいはリバース方向に搬送するプラテンと、プラテンの外周に沿って印字用紙を案内する紙ガイドと、プラテンに接して印字用紙の浮きを無くすための樹脂製フィルムから成る押えフィルムとから構成されている。その中で、押えフィルムの構成については、実用新案登録第２５３５６５８号公報にあるように、紙ガイドの下流側端面のプラテンに対して反対側部分に両面粘着テープにより密着され、その際、押えフィルムの先端部が紙ガイドと印字ヘッドとの間で印字用紙に接するように配置されている。
【０００３】
【特許文献１】
実用新案登録第２５３５６５８号公報（第２−３頁、第１−２図）
【０００４】
【発明が解決しようとする課題】
しかしながら、従来のプリンタ装置においては、押えフィルムの中央部付近のみを紙ガイド部分に固定していたため、プラテンによって印字用紙が搬送される際に押えフィルムの両端部が印字用紙との間で生じる摩擦力により、押えフィルムが印字用紙の搬送方向へ移動してしまう虞があった。また、印字用紙として、接着層を介して文字が印刷される受像紙と接着面を保護する剥離紙よりなるラベル用紙を使用し、印字を行った場合には、ラベル用紙の断面の接着層が押えフィルムの端部に付着することによって、ラベル用紙が搬送される際に押えフィルムの端部が搬送方向に移動してしまう虞があった。そして、押えフィルムが搬送方向へ移動し、印字ヘッド部分に接触すると印字不良の原因となっていた。
本発明は、前記従来における問題点を解消するためになされたものであり、ガイドフィルムの両端部をペーパーガイドに固定することにより、ガイドフィルムの端部がプラテンローラにより搬送される用紙との摩擦によって搬送方向に移動することを防止し、また、特に接着層を有するラベル用紙等に印刷を行う場合においても同様に端部の移動を防止することで、もって印刷の際の印字不良の原因をなくすプリンタ装置を提供することを目的とする。
【０００５】
【課題を解決するための手段】
前記目的を達成するため請求項１に係るプリンタ装置は、本体ケース内の収納部に収納された用紙に印刷を行う印字ヘッドと、前記印字ヘッドに対向して配置されたプラテンローラと、前記プラテンローラの外周に沿って前記用紙を案内するペーパーガイドと、前記ペーパーガイドに隣接して配置され、前記用紙を前記プラテンローラの周面に押圧するガイドフィルムとを有するプリンタ装置において、前記ペーパーガイドは前記ガイドフィルムを係止させるための係止部を有し、前記ガイドフィルムの両端部は、前記係止部に固定されることを特徴とする。
【０００６】
このような特徴を有する請求項１に係るプリンタ装置によれば、ペーパーガイドによってプラテンローラの外周に沿って案内された用紙をプラテンローラの周面に押圧するガイドフィルムをペーパーガイドに取り付ける際に、ガイドフィルムの両端部をペーパーガイドに設けた係止部によって固定することにより、印刷の際にプラテンローラにより搬送される用紙との間で生じる摩擦力によってガイドフィルムの端部が印字ヘッド側に移動し、更に印字ヘッドに接触することで発生する虞のある印字不良を防止することができる。また、粘着層を有するラベル用紙に印刷する場合には、粘着層に付着したガイドフィルムの両端部が印字ヘッド側に移動することを同様に防止することができる。
【０００７】
また、請求項２に係るプリンタ装置は、請求項１に記載のプリンタ装置において、前記ガイドフィルムの幅は、前記用紙の幅と略同一かそれよりも大きいことを特徴とする。
【０００８】
このような特徴を有する請求項２に係るプリンタ装置によれば、ガイドフィルムの幅が、用紙の幅と略同一かそれよりも大きいので、用紙の両端までガイドフィルムによって押えることができ、プラテンローラから用紙が浮くことを確実に防止することができる。
【０００９】
また、請求項３に係るプリンタ装置は、請求項１又は請求項２に記載のプリンタ装置において、前記ガイドフィルムの幅は、前記プラテンローラの幅と略同一であることを特徴とする。
【００１０】
このような特徴を有する請求項３に係るプリンタ装置によれば、ガイドフィルムの幅がプラテンローラの幅と略同一であるので、用紙の両端までプラテンローラの周面に確実に押圧することが可能である。また、ガイドフィルムの幅をプラテンローラの幅よりも大きくすることも考えられるが、装置の大型化に繋がる。そこで、プラテンローラと同じ幅にすることで装置の大型化も防止することができる。
【００１１】
また、請求項４に係るプリンタ装置は、請求項１乃至請求項３のいずれかに記載のプリンタ装置において、前記ガイドフィルムは前記係止部に対して前記プラテンローラの回転方向と逆方向に取り付けられ、前記係止部は、前記ガイドフィルムの取り付け方向に沿って傾斜面が形成されていることを特徴とする。
【００１２】
このような特徴を有する請求項４に係るプリンタ装置によれば、ガイドフィルムは係止部に対してプラテンローラの回転方向と逆方向に取り付けられ、且つ係止部は、ガイドフィルムの取り付け方向に対して傾斜面が形成されているので、ガイドフィルムをペーパーガイドに取り付ける際に、ガイドフィルムは傾斜面に沿って移動し、無理な力がかからずに取り付けやすい。また、ペーパーガイドは取り付け方向と逆方向にのみ力がかかるので、傾斜面を設けたことによってはペーパーガイドが係止部から外れやすくなることはない。
【００１３】
更に、請求項５に係るプリンタ装置は、請求項１乃至請求項４のいずれかに記載のプリンタ装置において、前記ガイドフィルムには前記係止部と対応する位置に係止孔が設けられ、前記ガイドフィルムは前記係止孔を前記係止部に嵌合することによって、前記ペーパーガイドに取り付けられることを特徴とする。
【００１４】
このような特徴を有する請求項５に係るプリンタ装置によれば、ガイドフィルムのペーパーガイドに設けられた係止部に対応する位置に係止孔を設け、それら係止孔を係止部に嵌合させることによってガイドフィルムはペーパーガイドに取り付けられるので、ガイドフィルムの両端部をより確実に固定することができる。
【００１５】
【発明の実施の形態】
次に、本発明を携帯用小型プリンタ装置に具体化した実施の形態について図面を参照しながら説明する。
まず、本発明に係る携帯用小型プリンタ装置１の概略構造について、図１〜図５を参照しながら説明する。携帯用小型プリンタ装置１は平面視Ａ６サイズ又はＡ７サイズ程度の大きさで厚みが略２ｃｍ程度あるいはそれ以下の上面開放箱型の本体ケース２を有し、その上面の片側には固定カバー体３を有する。この固定カバー体３の箇所を除く本体ケース２内には感熱紙からなるカットシート状の被記録媒体としての用紙４を複数枚収納した用紙カセット５（図３参照）が収容できる用紙収容部６が形成されている。前記固定カバー体３の下面側の近傍には、後に詳述する印刷機構部７としてのサーマルヘッド８、プラテンローラ９、ペーパーガイド１０及び用紙分離部としてのピックアップローラ１１及び分離ブロック１２等が配置されている。分離ブロック１２には、ピックアップローラ１１の用紙送り出し方向に対して傾斜した案内係止面１２１が形成されている。そして、前記用紙収容部６は、本体ケース２の側にて回動及びスライド可能な開閉支持手段１４を介して開閉可能な蓋体１３にて覆われる。また本体ケース２の側面には、係合溝５０が「コ」の字型に形成されている。更に、係合溝５０上にはサーマルヘッド８や駆動モータ２２を冷却するための複数個の空気孔５１と図示外のストラップや盗難防止用ワイヤ等を取り付けるための繋止孔５４が形成されている。
【００１６】
蓋体１３の回動支点は、図５（ａ）のロック位置と、図５（ｂ）のロック解除位置との間で本体ケース２の上面に沿ってスライド可能に設けられている。蓋体１３は回動支点がロック解除位置にあるときに上下に回動可能である。
【００１７】
前記サーマルヘッド８はラインヘッド型であり、プラテンローラ９との間に挟まれて搬送される感熱型の用紙４の搬送方向に直交する方向に延びるライン毎に文字や画像等を印刷することができる。１ライン印刷する際の印刷幅は用紙４の直交方向の用紙幅に略等しく設定されている。サーマルヘッド８及びプラテンローラ９は、Ａ６サイズ又はＡ７サイズ程度の用紙４の短辺方向の長さを有している。サーマルヘッド８を印刷ヘッドとして用いるのは、被記録媒体として感熱紙を用いることにより、インクやインクリボンの消耗品が不要であり、且つそのための機構を省略でき、携帯用小型プリンタ装置１をコンパクトにできるからである。
【００１８】
感熱紙としては、サーマルヘッド８の加熱により発色する発色層を有する感熱発色タイプのものや、加熱により穿孔される穿孔層を基材層上に積層した感熱穿孔タイプのもの等、種々のものを使用できる。
【００１９】
前記用紙収容部６のうち、前記印刷機構部７に近い側には、ピックアップローラ１１と分離ブロック１２とが配置されている（図５（ａ）及び図５（ｂ）参照）。前記用紙収容部６内に収容された用紙カセット５は、前記閉止した蓋体１３の本体内面側に設けた板バネ等の付勢手段１５を介して用紙収容部６の底板６Ａに向けて付勢される。用紙カセット５における積層した用紙４のうち、用紙カセット５外に露出した用紙４（最下層の用紙）がピックアップローラ１１の上面に当接付勢される。このピックアップローラ１１の回転駆動と分離ブロック１２の案内係止面１２１との協働により、前記最下層の用紙４のみが分離ブロック１２の下端とガイド板１７との隙間を通過する。該分離ブロック１２に隣接してプラテンローラ９が回転可能に設けられ、その外周面に押圧コイルバネ等の付勢手段１６によりペーパーガイド１０が付勢されている。ピックアップローラ１１と案内係止面１２１により、用紙カセット５から１枚だけ分離搬送された用紙４はプラテンローラ９とペーパーガイド１０との間に搬送される。ペーパーガイド１０は、その断面がプラテンローラ９の外周面に沿うように断面横向き略Ｕ字状等の凹湾曲状の摺接面１０Ａに形成されている。また、ペーパーガイド１０のサーマルヘッド８側の上面にはガイドフィルム２１が隣接して備え付けられている。ガイドフィルム２１はポリエステルにより、薄型フィルム状に形成され、その先端部２１Ａによって用紙４をプラテンローラ９の周面に押圧することで、ペーパーガイド１０とプラテンローラ９の間で生じる用紙４のプラテンローラ９に対する浮きを防止している。また、用紙４が搬送されていない状態ではガイドフィルム２１はサーマルヘッド８の印字位置のすぐ下にてプラテンローラ９に対して用紙搬送方向より鋭角に接する。尚、ペーパーガイド１０とガイドフィルム２１の詳細については後述する。
【００２０】
前記ペーパーガイド１０と、ガイドフィルム２１と、その上方に配置されて回動枢支部Ｐを中心にして回動可能に配置され、プラテンローラ９の上面の印字位置に接離可能なサーマルヘッド８の下面とにより、前記用紙収容部６から分離搬送された用紙４は横向きＵ字状に反転させて搬送され、プラテンローラ９の印字位置まで搬送される。サーマルヘッド８により用紙４の上面に印字され、前記分離ブロック１２の上面と前記固定カバー体３の端縁との隙間にある排紙口２０から蓋体１３の外側に排紙される構成である（図５（ａ）参照）。前記サーマルヘッド８はその背面（上面側）にコイルスプリング（付勢手段）１９のばね掛け部が係止され、プラテンローラ９側に付勢され、サーマルヘッド８の印字部（発熱体部８Ａ（図６参照））がプラテンローラ９の上面に当接する。
【００２１】
前記プラテンローラ９及びピックアップローラ１１の駆動機構は、本体ケース２の長辺に沿う一方の内側面（実施形態では図２に示す用紙４の搬送方向の右側）に配置された駆動モータ２２と歯車伝動機構（ギヤ列）２３とからなる。プラテンローラ９の直径がピックアップローラ１１の直径より大きく、プラテンローラ９の箇所の用紙搬送速度をピックアップローラ１１箇所での用紙搬送速度より大きく設定してピックアップローラ１１と分離ブロック１２との箇所での用紙分離をゆっくり行いプラテンローラ９による用紙搬送、ひいては印字速度を高速化している。そのために、プラテンローラ９箇所での高速搬送に対してピックアップローラ１１が連れ回り可能とするワンウエイクラッチ（図示せず）をギヤ列のプラテンローラ９より下流側に設けている。
【００２２】
次に、リリース連動機構（プラテンローラ９の外周に対するペーパーガイド１０及びサーマルヘッド８の同時押圧及び同時押圧解除機構）について説明する。このリリース連動機構は、プラテンローラ９の外周部分で用紙詰まりが発生した場合に、当該用紙４を簡単に除去するためのものである。
【００２３】
次に、図５（ａ）、図７及び図８（ａ）〜図８（ｃ）を参照しながらリリース連動機構における各部品の詳細について説明する。リリース連動機構の部品は、本体ケース２に往復移動可能に配置され、且つ前記付勢手段１６、１９の付勢力に抗して前記プラテンローラ９に対して前記ペーパーガイド１０及びサーマルヘッド８を離間させる離間位置と、前記付勢手段１６、１９の付勢力によりプラテンローラ９に対して前記ペーパーガイド１０及びサーマルヘッド８を付勢する付勢位置との間を切り換えられる作動手段１８であり、この作動手段１８は、後述するカム手段としての第１カム３６及び第２カム３７を備えた連動リンク体１３３と、そのカム手段を切り換え移動させるための被作用部としての作動部材２８とからなる。
【００２４】
本体ケース２の一対の長辺に沿う内面には、前記ペーパーガイド１０からプラテンローラ９が配置されている方向に長手の案内支持ブロック２４を固定する。この案内支持ブロック２４、後述する作動部材２８、連動リンク体１３３は、合成樹脂材にて対称形に形成されており、図７に示すのは右側の案内支持ブロック２４等の部品の斜視図である。
【００２５】
各案内支持ブロック２４の内側面のうち長手方向の中途部には、前記蓋体１３の自由端側の左右両側から下向きに突出するロック片２５が上下方向に挿通できる内向き開放状の縦案内溝２６が形成されている。また、前記各案内支持ブロック２４の外側面には、上下方向の中途部に長手方向に沿う横案内溝２７が凹み形成されており、この横案内溝２７には作動部材２８が前後方向（案内支持ブロック２４の長手方向）に移動自在に嵌合している。
【００２６】
各作動部材２８の外側には、その移動方向の一端寄り部位に、前記縦案内溝２６の間隔を隔てて前後一対の規制ブロック２９、３０が横向き突出されており、前記案内支持ブロック２４の内面には、前記一対の規制ブロック２９、３０が横向きに臨み、且つ所定距離だけ前記前後方向に移動可能とする抜き窓３１が穿設されている。
【００２７】
さらに、上向き先端部３２Ａが前記縦案内溝２６に嵌まる樹脂バネ体３２の基部３２Ｂは、案内支持ブロック２４の外面に凹み形成された係合部３３に嵌め入れられ、樹脂バネ体３２の基部３２Ｂと上向き先端部３２Ａとの連設部３２Ｃは案内支持ブロック２４の下方に位置している。なお、蓋体１３が後退位置で上方に回動して案内支持ブロック２４の縦案内溝２６から抜け出した状態（これを蓋体１３の開き位置という）では、前記作動部材２８における一対の規制ブロック２９、３０の間に前記縦案内溝２６が位置するので、樹脂バネ体３２の上向き先端部３２Ａが前記一対の規制ブロック２９、３０の間に上向きに突出して、作動部材２８の前後方向の移動を規制できる。従って、この樹脂バネ体３２の上向き先端部３２Ａが前記一対の規制ブロック２９、３０の間に嵌合することにより、前記蓋体１３の開き位置でリリース連動機構が不用意に前移動しないようにロック状態に保持できるロック手段となる。
【００２８】
他方、前記一方（後側）の規制ブロック３０の下面側には、後方に行くに従って上位置となる傾斜面３０Ａが形成されている。従って、作動部材２８を前方に移動させた状態（前記規制ブロック３０が縦案内溝２６の箇所まで移動した状態、これを蓋体１３の閉止位置という）では、前記傾斜面３０Ａに前記上向き先端部３２Ａが当接して、作動部材２８を前方移動方向に保持し、この構成により、リリース連動機構を不用意に後退させないようにロック位置に保持するロック手段となる。
【００２９】
前記作動部材２８の前端側には、前記プラテンローラ９の回動軸９Ａに対して回動可能に被嵌する連動リンク体１３３がピン３４及び縦長孔３５を介して回動可能に連結されている。連動リンク体１３３に縦長孔３５が形成され、作動部材２８にピン３４が形成されていても良い。
【００３０】
この連動リンク体１３３にはカム手段としての第１カム体３６と第２カム体３７とが一体的に形成されている。連動リンク体１３３の回動に応じて、第１カム体３６が前記ペーパーガイド１０の適宜前面に接離するとき同時に第２カム体３７が前記サーマルヘッド８の適宜下面に接離するように構成されている。
【００３１】
この構成により、図５（ｂ）に示すように、蓋体１３を開き、本体ケース２の用紙収容部６内に、開封した用紙カセット５を用紙４の面を下向きにしてセットした後、蓋体１３を下向き回動すると、当該蓋体１３の下面の板バネ製の付勢手段１５（図５（ａ）参照）により用紙カセット５を下向きに押圧するので、積層した用紙４の最下層面のうち先端側がピックアップローラ１１の上に押圧される。
【００３２】
そして、蓋体１３を不用意に開かないようにするための動作（蓋体１３を下向き回動させて本体ケース２の開口面と平行状に図５（ａ）の状態まで前進移動）に連動して下記のようにプラテンローラ９の外周面にペーパーガイド１０及びペーパーガイド１０に取り付けられたガイドフィルム２１を押圧すると共にサーマルヘッド８も押圧状態とするものである。即ち、蓋体１３の左右両側には、前記作動部材２８を前記離間位置と付勢位置とに切り換えるべく係合可能な作用部としてのロック片２５が前記案内支持ブロック２４の縦案内溝２６の上方から下向きに嵌合するように設けられている。図８（ｂ）に示す位置、即ち、作動部材２８の一対の規制ブロック２９、３０の間にロック片２５が侵入するとき、ロック片２５にて前記樹脂バネ体３２の上向き先端部３２Ａが縦案内溝２６の下方退避領域に押され、作動部材２８の前方向（図５（ｂ）、図８（ａ）の方向）への移動を許容する。この状態（蓋体１３の開き可能位置）で蓋体１３を固定カバー体３方向に接近移動（前進）させると、前記ロック片２５が前方の規制ブロック２９を介して作動部材２８を前方に押す。この動作により、前記ロック片２５は縦案内溝２６から前方に移動して案内支持ブロック２４における抜き窓３１の前寄り位置に来るので上向きに移動できず、蓋体１３は開き回動不能となる（図８（ａ）参照）。即ち、蓋体１３は閉止位置となるのである。そして、作動部材２８の前進位置（蓋体１３の閉止位置）では、後側の規制ブロック３０における下面の傾斜面３０Ａに前記樹脂バネ体３２の上向き先端部３２Ａが当接して、この樹脂バネ体３２の付勢力により、作動部材２８が不用意に後退移動するのを防止できるのである。
【００３３】
蓋体１３の閉止状態（閉止位置）（図５（ａ）及び図８（ａ）の状態で、蓋体１３の回動支点がロック位置にある場合）では、ロック片２５を介して前方の規制ブロック２９を押すので、作動部材２８は前進し、これに連結された連動リンク体１３３を図８（ａ）に示すように時計方向に回動させる。そうすると、連動リンク体１３３に設けられている第１カム体３６はペーパーガイド１０の前面から離れる方向に回動するので、当該ペーパーガイド１０は裏面側の付勢手段１６の付勢力にてプラテンローラ９の外周面に当接する方向に付勢移動する。また、これと同時に前記連動リンク体１３３に設けられた第２カム体３７はサーマルヘッド８の下面から離れる方向に回動する。これにより、付勢手段１９の付勢力にてサーマルヘッド８の発熱体部８Ａがプラテンローラ９の上面に押圧されるようになる。この状態を付勢位置とする。このため、第１カム体３６、連動リンク体１３３、作動部材２８は図８（ａ）の状態にロックされることになる。
【００３４】
そして、図示しないパソコン等からＵＳＢ端子や赤外線端子を介して印字指令及び画像データ（印刷データ）を携帯用小型プリンタ装置１に送ると、駆動モータ２２（図６参照）が回転駆動し、ピックアップローラ１１とプラテンローラ９は同時に回転し始める。ピックアップローラ１１の回転により、前記積層された用紙４のうち最下層の用紙４の先端４１が（図３参照）、分離ブロック１２に衝突して最下層の用紙４のみが分離されて、分離ブロック１２の下面とガイド板１７との間に搬送される。次いで、プラテンローラ９とペーパーガイド１０との間に挟持された用紙４は、回転するプラテンローラ９とペーパーガイド１０にて挟持搬送されてサーマルヘッド８方向に移動する。更に、ペーパーガイド１０とサーマルヘッド８との間で用紙４がプラテンローラ９に対して浮き上がらないように、ガイドフィルム２１の先端部によって用紙４がプラテンローラ９に押圧される。用紙４の表面に印字された後、固体カバー体３と前記分離ブロック１２の背面との隙間にある排紙口２０から携帯用小型プリンタ装置１外に排紙できるのである。
【００３５】
次に、紙ジャムが発生した場合に、前記サーマルヘッド８とペーパーガイド１０とを連動してリリースする動作について、図８（ａ）〜図８（ｃ）を参照しながら説明する。本実施形態では、蓋体１３の開き動作に連動するものである。まず、蓋体１３を開くに際して、本体ケース２の上面と平行状の蓋体１３を固定カバー体３から離れる方向に水平移動（後退）させ、蓋体１３の回動支点をロック解除位置に移動させる。
【００３６】
図８（ａ）から図８（ｂ）に示すように、蓋体１３を後退させると、当該蓋体１３の左右両側のロック片２５、２５が各作動部材２８の前後一対の規制ブロック２９、３０の間に嵌まっているので、作動部材２８を付勢手段１６、１９の付勢力に抗して強制的に後退させる。この時、樹脂バネ体３２の付勢力にも抗して移動されるが、付勢手段１６、１９の付勢力の方が大きい。
【００３７】
作動部材２８の後退位置では、縦案内溝２６の下方後退領域に退避した樹脂バネ体３２の上向き先端部３２Ａが、弾性力により前記一対の規制ブロック２９、３０の間に下方から係合し、作動部材２８の後退位置を保持することができる（図８（ｃ）参照）。また、蓋体１３を上方に回動させて用紙カセット５を交換することもできる。
【００３８】
この作動部材２８の後退移動に伴って、当該作動部材２８に対してピン３４及び縦長孔３５を介して連結された連動リンク体１３３はプラテンローラ９の軸９Ａ回りにて図８（ｂ）において反時計回りに回動する。この連動リンク体１３３に設けられた第１カム体３６は付勢手段１６の付勢力に抗してペーパーガイド１０の前面を押してプラテンローラ９の外周面から離す。それと同時に第２カム体３７が付勢手段１９の付勢力に抗してサーマルヘッド８の下面を上向きに押し上げ、サーマルヘッド８の発熱体部８Ａがプラテンローラ９の外周面から離れるのである（図８（ｂ）参照）。この状態が離間位置である。これにより、プラテンローラ９の外周に巻き付いている用紙４は軽い力で携帯用小型プリンタ装置１の外に引き出すことができるのである。そして、ワンタッチでサーマルヘッド８とペーパーガイド１０とガイドフィルム２１とをプラテンローラ９に対して接離可能であるので、操作性に優れたものとなる。
【００３９】
ここで、作動部材２８は後退位置に樹脂バネ体３２により移動不能にロックされているが、この樹脂バネ体３２は削除可能である。リリース連動機構を蓋体１３の開き位置と閉止位置とでロック状態に保持するロック手段としては、樹脂バネ体３２、第１、第２カム体３６、３７、付勢手段１６、１９が相当するが、ロック手段を、蓋体１３が開き位置にあるとき、または閉止位置にあるときのいずれか一方でロック状態に保持するように変更することも可能である。
【００４０】
なお、前記ピックアップローラ１１の支持軸１１Ａの両端を、前記左右両側の案内支持ブロック２４の軸孔２４Ａ（図７参照）に回転可能に軸支することにより、部品点数の削除を図ることができる。また、前記ペーパーガイド１０の長手方向の略中央部（用紙４の搬送方向と直交する幅方向の略中央部に該当）には、図示しないが、搬送されてくる用紙４の先端縁を検知するための光センサを設けることにより、用紙カセット５からピックアップローラ１１にて分離搬送される用紙４が斜行状態でペーパーガイド１０の箇所に送られて来たことを感知して、紙ジャムが発生するのを未然に防止できるようにすることが望ましい。
【００４１】
前記において、蓋体１３の閉止状態において、作動部材２８ひいてはリリース連動機構が不用意に後退しない状態に保持するロック手段の変形例として、前記第１カム体３６がペーパーガイド１０の当接面から離れるとき、プラテンローラ９とペーパーガイド１０の当接位置と前記プラテンローラ９の軸９Ａの軸線とを結ぶ作用線を越えるように、第１カム体３６が回動することにより、いわゆる支点越えとなり、作動部材２８が前進した位置を保持できるように構成すればよい。
【００４２】
前記蓋体１３の開き位置または閉止位置の双方の位置で前記リリース連動機構をロック状態に保持するロック手段として、前述の作動部材２８における一対の規制ブロック２９、３０と、樹脂バネ体３２との嵌合及び樹脂バネ体３２における上向き先端部３２Ａが後位置の規制ブロック３０の傾斜面３０Ａに押圧する手段や前記第１カム体３６のペーパーガイド１０に対する当接位置と離間位置の範囲の回動動作がある。また、蓋体１３の開き位置または閉止位置のいずれか一方のみのロック手段としては、前記の構成のいずれか１つを採用すれば良い。リリース連動機構とロック手段とが前記作動部材２８や連動リンク体１３３に関連させて形成されて、兼用されていることにより、構造が至極コンパクトにできるという効果を奏する。
【００４３】
尚、上記リリース機構は上記実施の形態に限定されるものでなく、その趣旨を逸脱しない範囲で様々な変更が可能である。
例えば、図９は、前記リリース連動機構のその他の実施形態を示す断面図である。  この点、回動部材の一例としての側面視Ｔ型等の操作レバー４０は、その下部の水平回動支軸４１を中心に回動するように構成されている。操作レバー４０の水平アーム４０Ａの一方の下面にはサーマルヘッド８が固定され、操作レバー４０を図示しない捩じりバネ等の付勢手段により、サーマルヘッド８の発熱体部８Ａが常時プラテンローラ９の上面に押圧するように構成されている。また、前記水平回動支軸４１の外周には操作レバー４０と一体的に回動するカム手段４２が本体ケース２の左右両側部位に一対設けられ、用紙４の幅方向に長いペーパーガイド４３の背面側に形成された当接部４４と対峙するように配置されている。なお、ペーパーガイド４３は付勢手段１６にて常時プラテンローラ９の外周面に押圧されるように付勢されている。
【００４４】
前記操作レバー４０の他のアーム部の上面の押しボタン部４５は固定カバー体３に穿設した操作孔４６から外に突出している。この構成によれば、紙ジャムが発生した時、前記押しボタン部４５を押し込むと操作レバー４０は図９において時計方向に回動し、サーマルヘッド８の発熱体部８Ａがプラテンローラ９の上面から離れると同時に、前記カム手段４２を介して当接部４４を押してペーパーガイド４３を付勢手段１６の付勢力に抗して後退させ、プラテンローラ９の外周から離すことができるから、プラテンローラ９の外周に巻き付いている用紙４を至極簡単に外せるのである。
【００４５】
なお、蓋体１３の自由端縁に用紙４の搬送方向と直交する幅方向の略中央部等に１乃至複数の係合爪３８を前記搬送方向に延びるように設ける一方、前記分離ブロック１２には、蓋体１３が本体ケース２の上面と平行状にして分離ブロック１２方向に前進させたとき係止する係止溝３９を設けておけば（図５（ｂ）及び図６（ａ）参照）、蓋体１３が薄肉で撓み易いものであっても、当該蓋体１３の自由端をしっかりと本体ケース２に閉止固定できる。
【００４６】
次に、本体ケース２に設けられた繋止孔５４及び空気孔５１について、図面を用いて詳細に説明する。図１０は、携帯用小型プリンタ装置を示す平面図であって、繋止孔及び空気孔を一部断面図により詳細に示したものである。図１１は、携帯用小型プリンタ装置を示す側面図である。
図１０及び図１１に示すように、本体ケース２の側面には、係合溝５０と係合溝５０上に配置された空気孔５３及び繋止孔５４が設けられている。係合溝５０はサーマルヘッド８及び駆動モータ２２が設けられた固定カバー体３側の本体ケース２の側部において凹状の「コ」の字型に形成されている。この係合溝５０は携帯用小型プリンタ装置１を図示外の支持手段を備えた支持装置によって支持する際に使用するものである。
【００４７】
また、係合溝５０の内部には空気孔５３が複数形成されている。空気孔５３は長方形状をしており、一定間隔にて規則的に配列されている。図１０の断面図に示すように空気孔５３は本体ケース２の外壁を貫通するように形成されており、空気孔５３を通して固定カバー体３内の空気と装置外部の空気とを循環させることにより、サーマルヘッド８及び駆動モータ２２の熱を外部に放出することができる。また、空気孔５３は係合溝５０内部に形成されているので、外観上、見栄えを損なうことなく放熱が可能である。
【００４８】
また、本体ケース２における図１０中の右下角部分には、ストラップや盗難防止用のワイヤ等を繋ぐ為の繋止孔５４が設けられている。繋止孔５４は係合溝５０上に配置され、２箇所の孔により形成されている。ワイヤ等を繋止孔５４に繋ぐ際には、ワイヤ等を一方の孔から他方の孔へ通すことによって、繋止板５５によって繋ぎ止められる。それによって、ワイヤ等は本体ケース２に取り付けられる。
【００４９】
次に、プラテンローラ９の外周に沿って用紙４を案内するペーパーガイド１０と、ペーパーガイド１０に隣接して配置され、用紙４をプラテンローラ９の周面に押圧するガイドフィルム２１について図１２乃至図２９により詳細に説明する。
【００５０】
先ず、ガイドフィルム２１の全体構造について図１２乃至図１５により説明する。図１２はガイドフィルムの全体を示す平面図、図１３はガイドフィルムの全体を示す正面図、図１４はその側面図、図１５は図１４の逆方向の側面図である。
ガイドフィルム２１は、平板部６０と平板部６０に対して一定角度をなすようにして形成された第１挿入片６１、第２挿入片６２、第３挿入片６３、第４挿入片６４とからなる。第１挿入片６１はガイドフィルム２１の中央部よりに４箇所設けられ、また、第１挿入片６１の設けられた両側にそれぞれ設けられた第２挿入片６２は、中央部に略楕円形状に形成された係止孔６５が設けられている。また、ガイドフィルム２１の両端部に設けられた第３挿入片６３、第４挿入片６４の側端部には、それぞれ爪部６６、６７が設けられている。尚、爪部６６、６７は長方形状を有し、それぞれ第３挿入片６３、第４挿入片６４に対して垂直となるように折り曲げられている。
また、平板部６０の幅は、用紙４の幅よりも大きく、プラテンローラ９の幅と同じ大きさに形成されている。尚、平板部６０の幅は、用紙４の幅と同じか若干大きくてもよい。
【００５１】
次に、ペーパーガイド１０の全体構造について図１６乃至図２１により説明する。図１６はペーパーガイドの全体を示す平面図、図１７はペーパーガイドの断面図、図１８はペーパーガイドの側面図、図１９は線Ａ−Ａでペーパーガイドを切断した矢視断面図、図２０は線Ｂ−Ｂでペーパーガイドを切断した矢視断面図、図２１は線Ｃ−Ｃでペーパーガイドを切断した矢視断面図である。
ペーパーガイド１０はプラテンローラ９に対向する側に上側用紙案内板７０と下側用紙案内板７１を有し、それによって用紙案内面７２を形成する。用紙案内面７２は曲面を有し、プラテンローラ９の外周に沿って用紙を案内するものである。また下側用紙案内板７１は５箇所に分割して形成されている。
【００５２】
また、ペーパーガイド１０の内部にはフレームによって仕切られた第１差込部７３、第２差込部７４、第３差込部７５、第４差込部７６が形成されている。これら各差込部は、後述するようにガイドフィルム２１をペーパーガイド１０に取り付けた際に、ガイドフィルム２１に形成された第１挿入片６１、第２挿入片６２、第３挿入片６３、第４挿入片６４がそれぞれ対応する各差込部に挿入され、ガイドフィルム２１とペーパーガイド１０とが固定されるものである。また、第２差込部はその中央部には凸状の第１係止部７７が設けられている。第１係止部は円筒状に形成され、ガイドフィルム２１の取り付け方向にあたる上側角部には傾斜面７７Ａが形成されている（図２０参照）。また、第３差込部７５には、用紙案内面７２が設けられた反対側の面に、第２係止部７８が凸状に設けられている（図１９参照）。更に、第４差込部７６には、用紙案内面７２が設けられた反対側の面に、第３係止部７９が凸状に設けられている（図２１参照）。また、第３係止部７９は、第１係止部７７と同様に上側角部に傾斜面７９Ａが形成されている。
【００５３】
次に、ガイドフィルム２１のペーパーガイド１０への取り付け構造について図２２乃至図２９により説明する。
ガイドフィルム２１をペーパーガイド１０に取り付ける際には、図２２及び図２３に示すように爪部６６、６７に、それぞれ力を付勢することによって、先端が互いに中央を向き、第３挿入片６３、第４挿入片６４と平行になる位置にまで曲げた状態で行う。尚、ガイドフィルム２１は、前述したようにポリエステルにより薄型フィルム状に形成されているため、容易に爪部６６、６７を曲げることが可能であり、また、付勢を解除すれば弾性により爪部６６、６７の曲げは解除され、再び第３挿入片６３、第４挿入片６４に対して垂直に支持される（図１２参照）。
【００５４】
そして、爪部６６、６７をそれぞれ中央に向かって曲げた状態のガイドフィルム２１をペーパーガイド１０に挿入することによって、ガイドフィルム２１はペーパーガイド１０に固定される。図２４はガイドフィルム２１をペーパーガイド１０に取り付けた際のガイドフィルム２１とペーパーガイド１０の平面図、図２５はガイドフィルム２１をペーパーガイド１０に取り付けた際のガイドフィルム２１とペーパーガイド１０の断面図、図２６はガイドフィルム２１をペーパーガイド１０に取り付けた際のガイドフィルム２１とペーパーガイド１０の側面図、図２７は線Ｄ−Ｄでガイドフィルム２１とペーパーガイド１０を切断した矢視側断面図、図２８は線Ｅ−Ｅでガイドフィルム２１とペーパーガイド１０を切断した矢視断面図、図２９は線Ｆ−Ｆでガイドフィルム２１とペーパーガイド１０を切断した矢視断面図である。
【００５５】
ガイドフィルム２１は、ペーパーガイド１０に対して平板部６０を上に各挿入片を下にして、プラテンローラ９の回転方向の逆方向（図２５中の下方向）に挿入される。その際、第１挿入片６１が第１差込部７３に、第２挿入片６２が第２差込部７４に、第３挿入片６３が第３差込部７５に、第４挿入片６４が第４差込部７５に、それぞれ挿入され位置決め固定される。以下に各挿入片の各差込部への位置決め構造について説明する。
【００５６】
ガイドフィルム２１の中央付近４箇所に設けられた第１挿入片６１は、第１差込部７３に挿入されることのみによって位置決めされている（図２５参照）。第１差込部７３は第１挿入片６１の形状に合わせてフレームにより仕切りが設けられているので、第１挿入片６１は、第１差込部７３に挿入されることにより位置決め固定される。
【００５７】
第２挿入片６２が第２差込部７４に挿入される際には、平板部６０が上側用紙案内板７０に当接するとともに、第２挿入片６２の中央部に形成された係止孔６５と第２差込部７４に設けられた第１係止部７７とが嵌合することによって、位置決め固定される（図２８参照）。ガイドフィルム２１は、前述したようにポリエステルにより薄型フィルム状に形成されており、且つ、第１係止部７７はガイドフィルム２１の取り付け方向に沿って傾斜面７７Ａが形成されているので、第２挿入片６２は傾斜面７７Ａに沿って弾性的に変形し、第１係止部７７が係止孔６５の位置にきた際に弾性により元に戻り、第１係止部７７が係止孔６５に嵌合し位置決め固定される。その際、傾斜面７７Ａが形成されていることにより第２挿入片６２は容易に挿入される。また、ガイドフィルム２１はプラテンローラ９の回転方向（図２５中の上方向）にのみ力が加わるので、ガイドフィルム２１の取り付け方向に沿って傾斜面７７Ａが形成されていたとしても、係止孔６５が第１係止部７７に対して外れやすくなることはない。
【００５８】
第３挿入片６３が第３差込部７５に挿入される際には、前述したように第３挿入片６３に形成された爪部６６に力を付勢し、曲げた状態（図２２参照）で第３差込部７５に挿入する。その後、平板部６０が上側用紙案内板７０に当接するとともに、曲げられていた爪部６６の付勢が解除されて、弾性により図２７中の右方向に移動し、爪部６６の上端が第２係止部７８に当接することによって、第３挿入片６３が第３差込部７５に位置決め固定される（図２７参照）。尚、ガイドフィルム２１はプラテンローラ９の回転方向（図２７中の上方向）にのみ力が加わるので、爪部６６の上端に第２係止部７８を当接させることのみによって第３挿入片６３が第３差込部７５に対し移動することを防止できる。
【００５９】
第４挿入片６４が第４差込部７６に挿入される際には、前述したように第４挿入片６４に形成された爪部６７に力を付勢し、曲げた状態（図２２参照）で第４差込部７６に挿入する。その後、平板部６０が上側用紙案内板７０に当接するとともに、曲げられていた爪部６７の付勢が解除されて、弾性により図２９中の左方向に移動し、爪部６７の上端が第３係止部７９に当接することによって、第４挿入片６４が第４差込部７６に位置決め固定される。また、第３係止部７９はガイドフィルム２１の取り付け方向に沿って傾斜面７９Ａが形成されているので、第４挿入片６４が第４差込部７６に挿入される際には、爪部６７は傾斜面７９Ａに沿って弾性的に内側（図２９中の右方向）に変形することによって爪部６７が挿入しやすくなっている。尚、ガイドフィルム２１はプラテンローラ９の回転方向（図２９中の上方向）にのみ力が加わるので、爪部６７の上端部のみを第４係止部７９を当接させることによって、第４挿入片６４が第４差込部７６に対し移動することを防止できる。
【００６０】
以上により、ガイドフィルム２１はペーパーガイド１０に取り付けられ、特に爪部６６、６７を第２係止部７８及び第３係止部７９によって係止させることにより、ガイドフィルム２１の両端部に関しても確実に固定される。従って、ガイドフィルムの先端部２１Ａが用紙４をプラテンローラ９の周面に押圧する際に、搬送される用紙４との摩擦力によってガイドフィルム２１がプラテンローラ９の回転方向に移動することを防止できる。
【００６１】
尚、本発明は、各種の変形が可能なことはいうまでもない。本実施形態では爪部６６、６７を曲げた状態でペーパーガイド１０に挿入することにより取り付けているが、プリンタ装置のサイズが本実施形態に係る携帯用小型プリンタ装置１に比べて大きい場合には、ガイドフィルムを取り付けるスペースの余裕があるので、図３０（ａ）及び図３０（ｂ）に示すガイドフィルム８０のように爪部８２、８３を平板部８１に対して曲げずに挿入し、且つペーパーガイド１０に爪部８２、８３に対応する位置に係止部を設けることによっても同様の効果を有する。
また、図３１（ａ）及び図３１（ｂ）に示すガイドフィルム８４のように、ガイドフィルムの両端部に、爪部６６、６７の代わりに第２挿入片６２と同様の形状を有する挿入片８５を設け、且つペーパーガイド１０にそれに対応する位置に第１係止部７７と同様の形状を持つ係止部を設けることによっても同様の効果を有する。更に、爪部６６、６７を第２係止部７８及び第３係止部７９に当接させる場合に比べ、挿入片８５の中央に設けられた係止孔８６を係止部に嵌合させることでガイドフィルム８４の両端はより確実に固定される。
【００６２】
以上にて説明したとおり本実施形態に係る携帯用小型プリンタ装置１では、ペーパーガイド１０によってプラテンローラ９の外周に沿って案内された用紙４をプラテンローラ９の周面に押圧するガイドフィルム２１の両端部に爪部６６、６７を設け、各爪部６６、６７をペーパーガイド１０に設けられた第２係止部７８及び第３係止部７９に固定することによりガイドフィルム２１をペーパーガイド１０に取り付けるので、印刷の際にプラテンローラ９により搬送される用紙４との間で生じる摩擦力によってガイドフィルム２１の端部がサーマルヘッド８側に移動し、更にサーマルヘッド８に端部が接触することで発生する虞のある印字不良を防止することができる。
また、ペーパーガイド１０に設けられた第１係止部７７は、ガイドフィルム２１の取り付け方向に対して傾斜面７７Ａが形成されているので、第２挿入片６２を第２差込部７４に挿入する際に、第２挿入片６２が傾斜面７７Ａに沿って移動するので、無理な力がかからずに取り付けやすい。また、ペーパーガイド１０は取り付け方向と逆方向にのみ力がかかるので、傾斜面７７Ａを設けたことによっては第２挿入片６２が第１係止部７７から外れやすくなることはない。また、第３係止部７９についても、ガイドフィルム２１の取り付け方向に対して傾斜面７９Ａが形成されているので、第４挿入片６４を第４差込部に挿入する際に同様の効果が得られる。更に、ガイドフィルム２１はプラテンローラ９の回転方向に力が加わるので、爪部６７、６８の上端のみを第２係止部７８及び第３係止部７９に当接させることによって、移動を防止できる。
更に、ガイドフィルムの両端部に、爪部６６、６７の代わりに第２挿入片６２と同様の形状を有する挿入片８５を設け、且つペーパーガイド１０にそれに対応する位置に第１係止部７７と同様の形状を持つ係止部を設けることにより、爪部６６、６７を第２係止部７８及び第３係止部７９に当接させる場合に比べ、挿入片８５の中央に設けられた係止孔８６を係止部に嵌合させることでガイドフィルム８４の両端部はより確実に固定される。
【００６３】
【発明の効果】
以上説明した通り、請求項１に記載の発明によれば、ペーパーガイドによってプラテンローラの外周に沿って案内された用紙をプラテンローラの周面に押圧するガイドフィルムをペーパーガイドに取り付ける際に、ガイドフィルムの両端部をペーパーガイドに設けた係止部によって固定することにより、印刷の際にプラテンローラにより搬送される用紙との間で生じる摩擦力によってガイドフィルムの端部が印字ヘッド側に移動することを防止できるので、端部が印字ヘッドに接触することで発生する虞のある印字不良を防止することができる。また、粘着層を有するラベル用紙に印刷する場合には、粘着層に付着したガイドフィルムの両端部が印字ヘッド側に移動することを同様に防止することができる。
【００６４】
また、請求項２に記載の発明によれば、ガイドフィルムの幅が、用紙の幅と略同一か、それよりも大きいので、用紙の両端までガイドフィルムによって押えることができ、プラテンローラから用紙が浮くことを確実に防止することができる。
【００６５】
また、請求項３に記載の発明によれば、ガイドフィルムの幅がプラテンローラの幅と略同一であるので、用紙の両端までプラテンローラの周面に確実に押圧することが可能である。また、ガイドフィルムの幅をプラテンローラの幅よりも大きくすることも考えられるが、装置の大型化に繋がる。そこで、プラテンローラと同じ幅にすることで装置の大型化も防止することができる。
【００６６】
また、請求項４に記載の発明によれば、ガイドフィルムは係止部に対してプラテンローラの回転方向と逆方向に取り付けられ、且つ係止部は、ガイドフィルムの取り付け方向に対して傾斜面が形成されているので、ガイドフィルムをペーパーガイドに取り付ける際に、ガイドフィルムは傾斜面に沿って移動し、無理な力がかからずに取り付けやすい。また、ペーパーガイドは取り付け方向と逆方向にのみ力がかかるので、傾斜面を設けたことによってはペーパーガイドが係止部から外れやすくなることはない。
【００６７】
また、請求項５に記載の発明によれば、ガイドフィルムのペーパーガイドに設けられた係止部に対応する位置に係止孔を設け、それら係止孔を係止部に嵌合させることによってガイドフィルムはペーパーガイドに取り付けられるので、ガイドフィルムの両端部をより確実に固定することができる。
【図面の簡単な説明】
【図１】携帯用小型プリンタ装置の外観を示す斜視図である。
【図２】本体ケースの概略平面図である。
【図３】用紙カセットの斜視図である。
【図４】本体ケースにおけるピックアップローラ部の斜視図である。
【図５】（ａ）は携帯用小型プリンタ装置の側断面図、（ｂ）は蓋体を開いた状態の本体ケースの左側部位の断面図である。
【図６】（ａ）は印刷機構部の拡大側面図、（ｂ）は歯車伝動機構の側面図である。
【図７】リリース連動機構の部品の展開斜視図である。
【図８】（ａ）は蓋体の閉止状態でプラテンローラにペーパーガイド及びサーマルヘッドが押圧している状態の断面図、（ｂ）は蓋体の後退位置でペーパーガイド及びサーマルヘッドのリリース状態を示す断面図、（ｃ）は蓋体の回動可能状態を示す断面図である。
【図９】リリース連動機構のその他の実施形態を示す断面図である。
【図１０】本願の携帯用小型プリンタ装置の外観を示す平面図である。
【図１１】本願の携帯用小型プリンタ装置の外観を示す側面図である。
【図１２】本願の携帯用小型プリンタ装置のガイドフィルムの外観を示す平面図である。
【図１３】本願の携帯用小型プリンタ装置のガイドフィルムの外観を示す正面図である。
【図１４】本願の携帯用小型プリンタ装置のガイドフィルムの外観を示す側面図である。
【図１５】本願の携帯用小型プリンタ装置のガイドフィルムの外観を示す側面図である。
【図１６】本願の携帯用小型プリンタ装置のペーパーガイドの外観を示す平面図である。
【図１７】本願の携帯用小型プリンタ装置のペーパーガイドを示す断面図である。
【図１８】本願の携帯用小型プリンタ装置のペーパーガイドの外観を示す側面図である。
【図１９】図１６の線Ａ−Ａでペーパーガイドを切断した矢視断面図である。
【図２０】図１６の線Ｂ−Ｂでペーパーガイドを切断した矢視断面図である。
【図２１】図１６の線Ｃ−Ｃでペーパーガイドを切断した矢視断面図である。
【図２２】本願の携帯用小型プリンタ装置のガイドフィルムを示す平面図である。
【図２３】本願の携帯用小型プリンタ装置のガイドフィルムを示す正面図である。
【図２４】本願の携帯用小型プリンタ装置のペーパーガイドの外観を示す平面図である。
【図２５】本願の携帯用小型プリンタ装置のペーパーガイドを示す断面図である。
【図２６】本願の携帯用小型プリンタ装置のペーパーガイドの外観を示す側面図である。
【図２７】図２４の線Ｄ−Ｄでペーパーガイド及びガイドフィルムを切断した矢視断面図である。
【図２８】図２４の線Ｅ−Ｅでペーパーガイド及びガイドフィルムを切断した矢視断面図である。
【図２９】図２４の線Ｆ−Ｆでペーパーガイド及びガイドフィルムを切断した矢視断面図である。
【図３０】（ａ）は他の実施形態におけるガイドフィルムの外観を示す平面図、（ｂ）は他の実施形態におけるガイドフィルムの外観を示す正面図である。
【図３１】（ａ）は他の実施形態におけるガイドフィルムの外観を示す平面図、（ｂ）は他の実施形態におけるガイドフィルムの外観を示す正面図である。
【符号の説明】
１                  携帯用小型プリンタ装置
２                  本体ケース
４                  用紙
８                  サーマルヘッド
９                  プラテンローラ
１０                ペーパーガイド
２１                ガイドフィルム
２１Ａ              ガイドフィルム先端部
６１                第１挿入片
６２                第２挿入片
６３                第３挿入片
６４                第４挿入片
６５                係止孔
６６，６７          爪部
７２                用紙案内面
７３                第１差込部
７４                第２差込部
７５                第３差込部
７６                第４差込部
７７                第１係止部
７７Ａ              傾斜面
７８                第２係止部
７９                第３係止部
７９Ａ              傾斜面
【図１】
2005028640.tif 000003
【図２】
2005028640.tif 000004
【図３】
2005028640.tif 000005
【図４】
2005028640.tif 000006
【図５】
2005028640.tif 000007
【図６】
2005028640.tif 000008
【図７】
2005028640.tif 000009
【図８】
2005028640.tif 000010
【図９】
2005028640.tif 000011
【図１０】
2005028640.tif 000012
【図１１】
2005028640.tif 000013
【図１２】
2005028640.tif 000014
【図１３】
2005028640.tif 000015
【図１４】
2005028640.tif 000016
【図１５】
2005028640.tif 000017
【図１６】
2005028640.tif 000018
【図１７】
2005028640.tif 000019
【図１８】
2005028640.tif 000020
【図１９】
2005028640.tif 000021
【図２０】
2005028640.tif 000022
【図２１】
2005028640.tif 000023
【図２２】
2005028640.tif 000024
【図２３】
2005028640.tif 000025
【図２４】
2005028640.tif 000026
【図２５】
2005028640.tif 000027
【図２６】
2005028640.tif 000028
【図２７】
2005028640.tif 000029
【図２８】
2005028640.tif 000030
【図２９】
2005028640.tif 000031
【図３０】
2005028640.tif 000032
【図３１】
2005028640.tif 000033